(57)【要約】 【課題】出力電圧の瞬停を防止可能な電源装置を提供する。【解決手段】本発明の電源装置は、第１のコンバータと、第２のコンバータと、電圧設定部と、を備える。第１のコンバータは、交流電圧を整流して得られる電圧を、動作モードに応じた電圧に変換する。第２のコンバータは、第１のコンバータから出力された電圧を、所定の電圧に変換する。電圧設定部は、動作モードが第１のモードの場合は、第１のコンバータから出力される電圧を第１の電圧に設定し、第１のモードよりも消費電力が小さい第２のモードの場合は、第１のコンバータから出力される電圧を、第１の電圧から段階的に降下させて第２の電圧に設定する。【選択図】図３
2018014779.tif 000002
【特許請求の範囲】
【請求項１】
交流電圧を整流して得られる電圧を、動作モードに応じた電圧に変換する第１のコンバータと、
前記第１のコンバータから出力された電圧を、所定の電圧に変換する第２のコンバータと、
前記動作モードが第１のモードの場合は、前記第１のコンバータから出力される電圧を第１の電圧に設定し、前記第１のモードよりも消費電力が小さい第２のモードの場合は、前記第１のコンバータから出力される電圧を、前記第１の電圧から段階的に降下させて第２の電圧に設定するための電圧設定部と、を備える、
電源装置。
【請求項２】
前記第２のモードの場合、前記電圧設定部は、前記第１のコンバータから出力される電圧を、前記第１の電圧よりも小さく、かつ、前記第２の電圧よりも大きい第３の電圧に設定した後に、前記第２の電圧に設定する、
請求項１に記載の電源装置。
【請求項３】
前記電圧設定部は、
前記第１のコンバータから出力される電圧の分圧電圧を一定に保つように、前記第１のコンバータから出力される電圧を制御する電圧制御部と、
前記第１のコンバータから前記第１の電圧を出力させるための前記分圧電圧を得るための第１の分圧回路、前記第２の電圧を出力させるための前記分圧電圧を得るための第２の分圧回路、および、前記第３の電圧を出力させるための前記分圧電圧を得るための第３の分圧回路のうちの何れかに切り替える制御を行う信号制御部と、を備え、
前記信号制御部は、前記第１のモードの場合は、前記第１の分圧回路に切り替えるための制御を行い、前記第２のモードの場合は、前記第３の分圧回路に切り替えるための制御を行って、前記第１のコンバータから出力される電圧が前記第３の電圧に安定した後、前記第２の分圧回路に切り替えるための制御を行う、
請求項２に記載の電源装置。
【請求項４】
前記第１のコンバータは絶縁型のＤＣ−ＤＣコンバータであり、
前記第２のコンバータは非絶縁型のＤＣ−ＤＣコンバータである、
請求項１乃至３のうちの何れか１項に記載の電源装置。
【請求項５】
前記交流電圧を整流する整流回路と、
前記整流回路による整流で得られた直流電圧を平滑化する平滑回路と、をさらに備える、
請求項１乃至４のうちの何れか１項に記載の電源装置。
【発明の詳細な説明】
【技術分野】
【０００１】
本発明は、電源装置に関する。
【背景技術】
【０００２】
従来、交流電圧を整流・平滑して得られる直流電圧が入力される絶縁型ＤＣ−ＤＣコンバータと、絶縁型ＤＣ−ＤＣコンバータからの出力電圧を入力電圧として動作する非絶縁型ＤＣ−ＤＣコンバータと、を搭載し、動作モードとして通常モードと省エネモードを有する電源回路において、省エネモード時の電力低減のため、省エネモード時のみ絶縁型ＤＣ−ＤＣコンバータの出力電圧を下げて非絶縁型ＤＣ−ＤＣコンバータの効率を改善する技術が知られている。
【０００３】
例えば特許文献１には、待機時の電力を低減する目的で、制御回路の動作及び停止の繰り返しにより絶縁型ＤＣ−ＤＣコンバータの出力電圧を下げる構成が開示されている。
【発明の概要】
【発明が解決しようとする課題】
【０００４】
しかし、従来の絶縁型ＤＣ−ＤＣコンバータの出力電圧を下げる構成では、出力電圧を下げる際に絶縁型ＤＣ−ＤＣコンバータの応答遅延により絶縁型ＤＣ−ＤＣコンバータの出力電圧にドロップが生じ、後段の非絶縁型ＤＣ−ＤＣコンバータが一瞬動作停止してしまい、非絶縁型ＤＣ−ＤＣコンバータの出力電圧が瞬停してしまうという問題がある。
【０００５】
本発明は、出力電圧の瞬停を防止可能な電源装置を提供することを目的とする。
【課題を解決するための手段】
【０００６】
上述した課題を解決し、目的を達成するために、本発明は、交流電圧を整流して得られる電圧を、動作モードに応じた電圧に変換する第１のコンバータと、前記第１のコンバータから出力された電圧を、所定の電圧に変換する第２のコンバータと、前記動作モードが第１のモードの場合は、前記第１のコンバータから出力される電圧を第１の電圧に設定し、前記第１のモードよりも消費電力が小さい第２のモードの場合は、前記第１のコンバータから出力される電圧を、前記第１の電圧から段階的に降下させて第２の電圧に設定するための電圧設定部と、を備える電源装置である。
【発明の効果】
【０００７】
本発明によれば、出力電圧の瞬停を防止可能な電源装置を提供することができる。
【図面の簡単な説明】
【０００８】
【図１】図１は、従来例の電源装置の構成の一例を示す図である。
【図２】図２は、従来例の絶縁型ＤＣ−ＤＣコンバータの出力電圧の切り替え手順を示すシーケンス図である。
【図３】図３は、第１の実施形態の電源装置の構成の一例を示す図である。
【図４】図４は、第１の実施形態の絶縁型ＤＣ−ＤＣコンバータの出力電圧の切り替え手順を示すシーケンス図である。
【図５】図５は、第２の実施形態の電源装置の構成の一例を示す図である。
【図６】図６は、第２の実施形態の絶縁型ＤＣ−ＤＣコンバータの出力電圧の切り替え手順を示すシーケンス図である。
【発明を実施するための形態】
【０００９】
以下、添付図面を参照しながら、本発明に係る電源装置の実施形態を詳細に説明する。
【００１０】
（第１の実施形態）
具体的な内容を説明する前に、従来技術と併せて本実施形態の概要を説明する。図１は、従来の電源装置１０００の構成を示す図である。図１に示すように、電源装置１０００は、交流電圧を供給する電源（ＡＣ電源）１と、「整流回路」の一例であるダイオードブリッジ２と、「平滑回路」の一例であるコンデンサ３と、絶縁型ＤＣ−ＤＣコンバータ４と、電圧設定部２０と、非絶縁型ＤＣ−ＤＣコンバータ５と、を備える。
【００１１】
電源１より供給される交流電圧は、ダイオードブリッジ２で整流されて直流電圧に変換され、その変換により得られた直流電圧は、コンデンサ３で平滑化される。そして、平滑化された直流電圧は絶縁型ＤＣ−ＤＣコンバータ４へ入力される。絶縁型ＤＣ−ＤＣコンバータ４から出力された電圧は非絶縁型ＤＣ−ＤＣコンバータ５へ入力され、非絶縁型ＤＣ−ＤＣコンバータ５は、入力された電圧を所定の電圧に変換して出力（非絶縁型ＤＣ−ＤＣコンバータ出力）する。
【００１２】
電圧設定部２０は、絶縁型ＤＣ−ＤＣコンバータ４の出力電圧を設定する。電圧設定部２０は、「電圧制御部」の一例であるシャントレギュレータ６を備える。シャントレギュレータ６は、絶縁型ＤＣ−ＤＣコンバータ４から出力される電圧の分圧電圧を一定に保つように、絶縁型ＤＣ−ＤＣコンバータ４から出力される電圧を制御する。また、電圧設定部２０は、絶縁型ＤＣ−ＤＣコンバータ４の出力電圧が供給される出力線３０と、接地電圧ＧＮＤが供給される接地線４０と、の間に直列に接続される抵抗７および抵抗８を備える。抵抗７と抵抗８との間のノードＮＤは、シャントレギュレータ６の入力側に接続され、抵抗７は出力線３０とノードＮＤとの間に配置され、抵抗８はノードＮＤと接地線４０との間に配置される。また、電圧設定部２０は、ノードＮＤと接地線４０との間に直列に接続される抵抗９およびスイッチ素子１０を備える。さらに、電圧設定部２０は、スイッチ素子１０のオンオフを切り替えるためのモード切替信号を制御する信号制御部２１を備える。
【００１３】
電源装置１０００の動作モードが通常モード（第１のモード）の場合、信号制御部２１は、モード切替信号をハイレベル（Ｈｉｇｈ）に設定する。これにより、スイッチ素子１０はオン状態に遷移し抵抗９が抵抗８と並列に接続される。この場合、絶縁型ＤＣ−ＤＣコンバータ４の出力電圧は、抵抗７、抵抗８および抵抗９により分圧されて、シャントレギュレータ６に印加される。分圧電圧を一定に保つように、シャントレギュレータ６から絶縁型ＤＣ−ＤＣコンバータ４へ帰還信号を送ることで、通常モード時の絶縁型ＤＣ−ＤＣコンバータ４の出力電圧が設定される。
【００１４】
通常モードよりも消費電力が小さい省エネモード（第２のモード）の場合、信号制御部２１は、モード切替信号をローレベル（Ｌｏｗ）に設定する。これにより、スイッチ素子１０はオフ状態に遷移し抵抗９の接続が解除される。この場合、絶縁型ＤＣ−ＤＣコンバータ４の出力電圧は、抵抗７および抵抗８により分圧されて、シャントレギュレータ６に印加される。分圧電圧を一定に保つように、シャントレギュレータ６から絶縁型ＤＣ−ＤＣコンバータ４へ帰還信号を送ることで、省エネモード時の絶縁型ＤＣ−ＤＣコンバータ４の出力電圧が設定される。省エネモード時の絶縁型ＤＣ−ＤＣコンバータ４の出力電圧は、通常モード時の絶縁型ＤＣ−ＤＣコンバータ４の出力電圧よりも小さい値に設定される。
【００１５】
図２は、絶縁型ＤＣ−ＤＣコンバータ４の出力電圧の切り替え手順を示すシーケンス図である。通常モードから省エネモードへの移行時に、モード切替信号がＨｉｇｈからＬｏｗになり、図１のＡ点の電圧がＬｏｗからＨｉｇｈになることで、絶縁型ＤＣ−ＤＣコンバータ４の出力電圧が、通常モード時の設定電圧から省エネモード時の設定電圧に切り替わり始める。絶縁型ＤＣ−ＤＣコンバータ４の出力電圧は徐々に低下していくが、絶縁型ＤＣ−ＤＣコンバータ４への帰還信号の遅延により、省エネモード時設定電圧以下にドロップしてから、省エネモード時設定電圧に安定する。その際、絶縁型ＤＣ−ＤＣコンバータ４の出力電圧のドロップ時の電圧が非絶縁型ＤＣ−ＤＣコンバータ５の動作限界電圧を下回ることで、非絶縁型ＤＣ−ＤＣコンバータ５の動作が停止してしまい、非絶縁型ＤＣ−ＤＣコンバータ５の出力電圧が瞬停してしまう。
【００１６】
そこで、本実施形態では、動作モードが通常モード（第１のモード）の場合は、絶縁型ＤＣ−ＤＣコンバータ（第１のコンバータ）４から出力される電圧を第１の電圧（通常モード時設定電圧）に設定し、省エネモード（第２のモード）の場合は、絶縁型ＤＣ−ＤＣコンバータ４から出力される電圧を、第１の電圧から段階的に降下させて第２の電圧（省エネモード時設定電圧）に設定することで、ドロップ電圧を小さくして非絶縁型ＤＣ−ＤＣコンバータ（第２のコンバータ）５の出力電圧が瞬停することを防止する。ここでは、省エネモードの場合、電圧設定部２０は、絶縁型ＤＣ−ＤＣコンバータ４から出力される電圧を、通常モード時設定電圧よりも小さく、かつ、省エネモード時設定電圧よりも大きいモード切替中間設定電圧（第３の電圧）に設定した後に、省エネモード時設定電圧に設定する。以下、具体的な内容を説明する。
【００１７】
図３は、本実施形態の電源装置１００の構成の一例を示す図である。基本的な構成は図１の構成と同様であるが、電圧設定部２０の構成が異なる。図３に示す電圧設定部２０は、ノードＮＤと接地線４０との間に直列に接続される抵抗１１およびスイッチ素子１２をさらに備える。さらに、電圧設定部２０は、スイッチ素子１２のゲートと接地線４０との間に接続されるコンデンサ１３を備える。コンデンサ１３には、抵抗１４およびスイッチ素子１６の各々が並列に接続される。さらに、抵抗１４にはツェナーダイオード１５が直列に接続される。
【００１８】
通常モード時設定電圧は従来例と同様である。省エネモードの場合、信号制御部２１は、モード切替信号をローレベルに設定する。これにより、スイッチ素子１０はオフ状態に遷移し抵抗９の接続が解除されると同時に、スイッチ素子１６はオフ状態、スイッチ素子１２はオン状態に遷移し、抵抗１１が抵抗８と並列に接続される。この場合、絶縁型ＤＣ−ＤＣコンバータ４の出力電圧は、抵抗７、抵抗８、抵抗１１により分圧されて、シャントレギュレータ６に印加される。分圧電圧を一定に保つように、シャントレギュレータ６から絶縁型ＤＣ−ＤＣコンバータ４へ帰還信号を送ることで、モード切替時の絶縁型ＤＣ−ＤＣコンバータ４の出力電圧（モード切替中間設定電圧）が設定される。ここでは、モード切替中間設定電圧は、通常モード時設定電圧よりも小さく、かつ、省エネモード時設定電圧よりも大きくなるよう、各抵抗の値が設定される（例えば抵抗１１は抵抗９よりも大きい値に設定される）。
【００１９】
ツェナーダイオード１５の閾値は、通常モード時設定電圧以下、かつ、モード切替中間設定電圧以上の値であり、絶縁型ＤＣ−ＤＣコンバータ４の出力電圧がモード切替中間設定電圧になることでＯＦＦとなるが、コンデンサ１３により一定時間にわたってＣ点の電圧がＨｉｇｈに保持され、スイッチ素子１２がＯＮし続けることで、モード切替中間設定電圧が維持される。一定時間後、抵抗１４によりＣ点の電圧がＬｏｗに低下することでスイッチ素子１２がＯＦＦとなり、抵抗１１の接続が解除される。この場合、絶縁型ＤＣ−ＤＣコンバータ４の出力電圧は、抵抗７および抵抗８により分圧されて、シャントレギュレータ６に印加される。分圧電圧を一定に保つように、シャントレギュレータ６から絶縁型ＤＣ−ＤＣコンバータ４へ帰還信号を送ることで、省エネモード時の絶縁型ＤＣ−ＤＣコンバータ４の出力電圧が設定される。
【００２０】
図４は、本実施形態の絶縁型ＤＣ−ＤＣコンバータ４の出力電圧の切り替え手順を示すシーケンス図である。通常モードから省エネモードへの移行時に、モード切替信号がＨｉｇｈからＬｏｗになり、図３のＡ点の電圧がＬｏｗからＨｉｇｈ、Ｂ点の電圧がＨｉｇｈからＬｏｗ、Ｃ点の電圧がＬｏｗからＨｉｇｈになることで、絶縁型ＤＣ−ＤＣコンバータ４の出力電圧が、通常モード時設定電圧からモード切替中間設定電圧に切り替わり始める。絶縁型ＤＣ―ＤＣコンバータ４の出力電圧が徐々に低下していくが、絶縁型ＤＣ−ＤＣコンバータ４への帰還信号の遅延により、モード切替中間設定電圧以下にドロップしてから、モード切替中間設定電圧に安定する。その際、従来回路での通常モード時設定電圧から省エネモード時設定電圧への切り替えに比べて、出力電圧の切り替え幅が小さいため、絶縁型ＤＣ−ＤＣコンバータ４への帰還信号の遅延も小さくなりドロップ電圧も小さくなる。
【００２１】
そして、図３のコンデンサ１３により一定時間にわたってＣ点の電圧がＨｉｇｈに保持された後、抵抗１４によりＣ点の電圧がＬｏｗに低下すると、絶縁型ＤＣ−ＤＣコンバータ４の出力電圧がモード切替中間設定電圧から省エネモード時設定電圧に切り替わり始める。絶縁型ＤＣ−ＤＣコンバータ４の出力電圧が徐々に低下していくが、絶縁型ＤＣ−ＤＣコンバータ４への帰還信号の遅延により、省エネモード時設定電圧以下にドロップしてから、省エネモード時設定電圧に安定する。その際、従来回路での通常モード時設定電圧から省エネモード時設定電圧への切り替えに比べて、出力電圧の切り替え幅が小さいため、絶縁型ＤＣ−ＤＣコンバータ４への帰還信号の遅延も小さくなりドロップ電圧も小さくなる。これにより、絶縁型ＤＣ−ＤＣコンバータ４の出力電圧は非絶縁型ＤＣ−ＤＣコンバータ動作限界電圧までは低下せずに非絶縁型ＤＣ−ＤＣコンバータ５の出力電圧は瞬停しない。
【００２２】
（第２の実施形態）
次に、第２の実施形態について説明する。上述の第１の実施形態と共通する部分については適宜に説明を省略する。図５は、本実施形態の電源装置２００の構成の一例を示す図である。図５の例では、コンデンサ１３、抵抗１４、ツェナーダイオード１５、スイッチ素子１６は設けられず、信号制御部２１は、絶縁型ＤＣ−ＤＣコンバータ４０の出力電圧（出力線３０の電圧）を監視しながら、スイッチ素子１０およびスイッチ素子１２の各々のオンオフを個別に制御する。この例では、スイッチ素子１０のオンオフを切り替えるための信号（スイッチ素子１０のゲートに供給される信号）を「モード切替信号Ｘ」、スイッチ素子１２のオンオフを切り替えるための信号（スイッチ素子１２のゲートに供給される信号）を「モード切替信号Ｙ」と称する。
【００２３】
通常モード時設定電圧は従来例と同様である。つまり、通常モードの場合、信号制御部２１は、モード切替信号Ｘをハイレベルに設定し、モード切替信号Ｙをローレベルに設定する。これにより、スイッチ素子１０がオン状態に遷移することで抵抗９が抵抗８と並列に接続されると同時に、スイッチ素子１２がオフ状態に遷移することで抵抗１１の接続が解除される。絶縁型ＤＣ−ＤＣコンバータ４の出力電圧は、抵抗７、抵抗８、抵抗９により分圧されて、シャントレギュレータ６に印加される。分圧電圧を一定に保つように、シャントレギュレータ６から絶縁型ＤＣ−ＤＣコンバータ４へ帰還信号を送ることで、通常モード時の絶縁型ＤＣ−ＤＣコンバータ４の出力電圧（通常モード時設定電圧）が設定される。この例では、抵抗７、抵抗８、抵抗９からなる分圧回路は、絶縁型ＤＣ−ＤＣコンバータ４から通常モード時設定電圧（第１の電圧）を出力させるための分圧電圧を得るための第１の分圧回路に相当する。
【００２４】
通常モードから省エネモードへ切り替える場合、信号制御部２１は、モード切替信号Ｘをローレベルに設定し、モード切替信号Ｙをハイレベルに設定する。これにより、スイッチ素子１０がオフ状態に遷移することで抵抗９の接続が解除されると同時に、スイッチ素子１２がオン状態に遷移することで抵抗１１が抵抗８と並列に接続される。この場合、絶縁型ＤＣ−ＤＣコンバータ４の出力電圧は、抵抗７、抵抗８、抵抗１１により分圧されて、シャントレギュレータ６に印加される。分圧電圧を一定に保つように、シャントレギュレータ６から絶縁型ＤＣ−ＤＣコンバータ４へ帰還信号を送ることで、モード切替時の絶縁型ＤＣ−ＤＣコンバータ４の出力電圧（モード切替中間設定電圧）が設定される。この例では、抵抗７、抵抗８、抵抗１１からなる分圧回路は、絶縁型ＤＣ−ＤＣコンバータ４からモード切替中間設定電圧（第３の電圧）を出力させるための分圧電圧を得るための第３の分圧回路に相当する。
【００２５】
信号制御部２１は、出力線３０の電圧を監視しながら、絶縁型ＤＣ−ＤＣコンバータ４の出力電圧がモード切替中間設定電圧に安定（例えば所定期間にわたって出力電圧の値がモード切替中間設定電圧を維持）するまで、モード切替信号Ｙをハイレベルに設定することでモード切替中間設定電圧を維持する。そして、信号制御部２１は、絶縁型ＤＣ−ＤＣコンバータ４の出力電圧がモード切替中間設定電圧に安定したことを確認後、モード切替信号Ｙをローレベルに設定する。これにより、スイッチ素子１２がオフ状態に遷移し抵抗１１の接続が解除される。この場合、絶縁型ＤＣ−ＤＣコンバータ４の出力電圧は、抵抗７および抵抗８により分圧されて、シャントレギュレータ６に印加される。分圧電圧を一定に保つように、シャントレギュレータ６から絶縁型ＤＣ−ＤＣコンバータ４へ帰還信号を送ることで、省エネモード時の絶縁型ＤＣ−ＤＣコンバータ４の出力電圧（省エネモード時設定電圧）が設定される。この例では、抵抗７および抵抗８からなる分圧回路は、絶縁型ＤＣ−ＤＣコンバータ４から省エネモード時設定電圧（第２の電圧）を出力させるための分圧電圧を得るための第２の分圧回路に相当する。
【００２６】
要するに、本実施形態の信号制御部２１は、絶縁型ＤＣ−ＤＣコンバータ４から通常モード時設定電圧を出力させるための分圧電圧を得るための第１の分圧回路、省エネモード時設定電圧を出力させるための分圧電圧を得るための第２の分圧回路、および、モード切替中間設定電圧を出力させるための分圧電圧を得るための第３の分圧回路のうちの何れかに切り替える制御を行う。そして、信号制御部２１は、通常モードの場合は、第１の分圧回路に切り替えるための制御を行い、省エネモードの場合は、第３の分圧回路に切り替えるための制御を行って、絶縁型ＤＣ−ＤＣコンバータ４から出力される電圧がモード切替中間設定電圧に安定した後、第２の分圧回路に切り替えるための制御を行う。
【００２７】
図６は、本実施形態の絶縁型ＤＣ−ＤＣコンバータ４の出力電圧の切り替え手順を示すシーケンス図である。通常モードから省エネモードへの移行時に、モード切替信号ＸがＨｉｇｈからＬｏｗ、モード切替信号ＹがＬｏｗからＨｉｇｈになり、図５のＡ点の電圧がＬｏｗからＨｉｇｈ、Ｂ点の電圧がＨｉｇｈからＬｏｗになることで、絶縁型ＤＣ−ＤＣコンバータ４の出力電圧が通常モード時設定電圧からモード切替中間設定電圧に切り替わり始める。絶縁型ＤＣ−ＤＣコンバータ４の出力電圧が徐々に低下していくが、絶縁型ＤＣ−ＤＣコンバータ４への帰還信号の遅延により、モード切替中間設定電圧以下にドロップしてから、モード切替中間設定電圧に安定する。その際、従来回路での通常モード時設定電圧から省エネモード時設定電圧への切り替えに比べて、出力電圧の切り替え幅が小さいため、絶縁型ＤＣ−ＤＣコンバータ４への帰還信号の遅延も小さくなりドロップ電圧も小さくなる。
【００２８】
また、信号制御部２１は、絶縁型ＤＣ−ＤＣコンバータ４の出力電圧を監視し、モード切替中間設定電圧に安定したことを確認後、直ちにモード切替信号ＹをＬｏｗに設定することで、図４の構成に比べて、モード切替時間を短縮できる。モード切替信号ＹがＨｉｇｈからＬｏｗになると、絶縁型ＤＣ−ＤＣコンバータ４の出力電圧が、モード切替中間設定電圧から省エネモード時設定電圧に切り替わり始める。絶縁型ＤＣ−ＤＣコンバータ４の出力電圧が徐々に低下していくが、絶縁型ＤＣ−ＤＣコンバータ４への帰還信号の遅延により省エネモード時設定電圧以下にドロップしてから、省エネモード時設定電圧に安定する。その際、従来回路での通常モード時設定電圧から省エネモード時設定電圧への切り替えに比べて、出力電圧の切り替え幅が小さいため、絶縁型ＤＣ−ＤＣコンバータ４への帰還信号の遅延も小さくなりドロップ電圧も小さくなる。これにより、絶縁型ＤＣ−ＤＣコンバータ４の出力電圧は非絶縁型ＤＣ−ＤＣコンバータ動作限界電圧までは低下せずに非絶縁型ＤＣ−ＤＣコンバータ５の出力電圧は瞬停しない。さらに、上述したように、本実施形態の信号制御部２１は、省エネモードへの切り替え時に、絶縁型ＤＣ−ＤＣコンバータ４の出力電圧をモード切替中間設定電圧に設定するための制御を行った後、絶縁型ＤＣ−ＤＣコンバータ４の出力電圧がモード切替中間設定電圧に安定したことを確認後、直ちに絶縁型ＤＣ−ＤＣコンバータ４の出力電圧を省エネモード時設定電圧に設定するための制御を行うので、上述の第１の実施形態に比べてモード切替時間を短縮できる。
【００２９】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態および変形例にわたる構成要素を適宜組み合わせてもよい。
【符号の説明】
【００３０】
１      電源
２      ダイオードブリッジ
３      コンデンサ
４      絶縁型ＤＣ−ＤＣコンバータ
５      非絶縁型ＤＣ−ＤＣコンバータ
６      シャントレギュレータ
７      抵抗
８      抵抗
９      抵抗
１０    スイッチ素子
１１    抵抗
１２    スイッチ素子
１３    コンデンサ
１４    抵抗
１５    ツェナーダイオード
１６    スイッチ素子
２０    電圧設定部
２１    信号制御部
３０    出力線
４０    接地線
１００  電源装置
２００  電源装置
【先行技術文献】
【特許文献】
【００３１】
【特許文献１】特許第３６６１４７２号公報
【図１】
2018014779.tif 000003
【図２】
2018014779.tif 000004
【図３】
2018014779.tif 000005
【図４】
2018014779.tif 000006
【図５】
2018014779.tif 000007
【図６】
2018014779.tif 000008